(57)【特許請求の範囲】
【請求項１】
反射形コネクタのためのコネクタカバーであって、前記反射形コネクタが、その内部に、複数の光ファイバーの端部を保持するための複数のファイバーポートを有し、少なくとも１つの光反射器を備えた上側部分を有するものにおいて、
前記反射形コネクタの一部を受け入れるように構成された下側凹部を有する本体であって、前記反射形コネクタが当該本体の前記下側凹部に受け入れられたときに前記光反射器を覆う上側ハウジング部をさらに有する本体と、
前記本体の前方端から延びる一対のアームであって、前記一対のアームの各アームが、アーム先端係合部を備えた先端を有する一対のアームと
を含み、
前記一対のアームの前記アーム先端係合部は、当該コネクタカバーが、前記アーム先端係合部により規定される旋回軸を中心として、トランシーバモジュール・ハウジングに対して旋回できるように、前記トランシーバモジュール・ハウジング上の対応する係合部と旋回可能に係合されている、コネクタカバー。
【請求項２】
前記アーム先端係合部は、前記アームから前記一対のアームの間の空間の中に延びる突起である、請求項１に記載のコネクタカバー。
【請求項３】
前記下側凹部は、一対のＬ字形側壁を有し、前記一対のＬ字形側壁の各Ｌ字形側壁は、前記上側ハウジング部から延びる、請求項１または請求項２に記載のコネクタカバー。
【請求項４】
各Ｌ字形側壁は、側壁係合部を有する、請求項３に記載のコネクタカバー。
【請求項５】
前記側壁係合部は、前記側壁における開口部である、請求項４に記載のコネクタカバー。
【請求項６】
反射形コネクタのためのコネクタカバーを使用する方法であって、前記反射形コネクタが、その内部に、複数の光ファイバーの端部を保持するための複数のファイバーポートを有し、少なくとも１つの光反射器を備えた上側部分を有するものにおいて、
前記反射形コネクタの前方端を前記コネクタカバーの本体の後方端の中に滑り込ませるステップであって、前記コネクタカバーの前記本体が、前記反射形コネクタの前記前方端が前記コネクタカバーの前記本体の前記後方端の中に滑り込むときに、前記反射形コネクタの一部を受け入れるように構成された下側凹部を有し、前記コネクタカバーの前記本体は、前記反射形コネクタが前記本体の前記下側凹部に受け入れられたときに前記光反射器を覆う上側ハウジング部をさらに有し、前記本体の前方端から一対のアームが延び、前記一対のアームの各アームが、アーム先端係合部を備えた先端を有することを含むステップと、
前記一対のアームの前記アーム先端係合部をトランシーバモジュール・ハウジング上の対応する係合部と旋回可能に係合させるステップと、
前記アーム先端係合部により規定される旋回軸を中心として前記コネクタカバーを前記トランシーバモジュール・ハウジングに対して旋回させるステップと
を含む、方法。
【請求項７】
前記アーム先端係合部は、前記アームから前記一対のアームの間の空間の中に延びる突起である、請求項６に記載の方法。
【請求項８】
前記下側凹部は、一対のＬ字形側壁を有し、前記一対のＬ字形側壁の各Ｌ字形側壁は、前記上側ハウジング部から延びる、請求項６または請求項７に記載の方法。
【請求項９】
各Ｌ字形側壁は、側壁係合部を有する、請求項８に記載の方法。
【請求項１０】
前記側壁係合部は、前記側壁における開口部である、請求項９に記載の方法。
【請求項１１】
前記旋回軸を中心として前記コネクタカバーを旋回させることは、前記反射形コネクタの下側部分から延びるピンが、前記トランシーバモジュール・ハウジングの上側部分にある対応するボアの中に受け入れられるまで、前記コネクタカバーを旋回させることを含む、請求項６〜１０の何れか一項に記載の方法。
【請求項１２】
前記光トランシーバモジュール・ハウジングのモジュールカバーが、前記コネクタカバー及び反射形コネクタを前記光トランシーバモジュール・ハウジングの上側部分に対して固定するまで、前記光トランシーバモジュール・ハウジングの前記モジュールカバーを旋回させることをさらに含む、請求項１１に記載の方法。
【請求項１３】
前記コネクタカバー及び反射形コネクタが前記光トランシーバモジュール・ハウジングの前記上側部分に対してしっかりと固定された状態で、前記モジュールカバーのスナップ係合の第１の部分は、前記光トランシーバモジュール・ハウジング上の前記スナップ係合の対を成す第２の部分と係合し、前記モジュールカバーを閉鎖位置に維持する、請求項１２に記載の方法。
【請求項１４】
光トランシーバコネクタシステムであって、
反射形コネクタのためのコネクタカバーであって、前記反射形コネクタが、その内部に、複数の光ファイバーの端部を保持するための複数のファイバーポートを有し、少なくとも１つの光反射器を備えた上側部分を有し、前記コネクタカバーは、本体と、前記本体の前方端から延びる一対のアームとを含み、前記一対のアームの各アームが、アーム先端係合部を備えた先端を有し、前記本体が、前記反射形コネクタの一部を受け入れるように構成された下側凹部を有し、前記本体が、前記反射形コネクタが当該本体の前記下側凹部に受け入れられたときに前記光反射器を覆う上側ハウジング部をさらに有する、コネクタカバーと、
前記一対のアームの前記アーム先端係合部と係合するように構成された一対の係合部を有するハウジングを備えた光トランシーバモジュールと
を含み、
前記一対のアームの前記アーム先端係合部は、前記コネクタカバーが、前記アーム先端係合部により規定される旋回軸を中心として、前記光トランシーバモジュールの前記ハウジングに対して旋回できるように、前記光トランシーバモジュールの前記ハウジング上の前記係合部と旋回可能に係合されている、光トランシーバコネクタシステム。
【請求項１５】
前記アーム先端係合部は、前記アームから前記一対のアームの間の空間の中に延びる突起である、請求項１４に記載の光トランシーバコネクタシステム。
【請求項１６】
前記下側凹部は、一対のＬ字形側壁を有し、前記一対のＬ字形側壁の各Ｌ字形側壁は、前記上側ハウジング部から延びる、請求項１４または請求項１５に記載の光トランシーバコネクタシステム。
【請求項１７】
各Ｌ字形側壁は、側壁係合部を有する、請求項１６に記載の光トランシーバコネクタシステム。
【請求項１８】
前記側壁係合部は、前記側壁における開口部である、請求項１７に記載の光トランシーバコネクタシステム。
【請求項１９】
前記光トランシーバモジュールは、前記光トランシーバモジュールの前記ハウジング上に旋回式モジュールカバーをさらに含む、請求項１４〜１８の何れか一項に記載の光トランシーバコネクタシステム。
【発明の詳細な説明】
【技術分野】
【０００１】
本発明は、光トランシーバコネクタシステムに関し、特に、光ケーブルコネクタアセンブリを光トランシーバモジュールに接続する際に、アライメントピンの損傷を防止する手段を備えた光トランシーバコネクタシステムに関する。
【背景技術】
【０００２】
光データトランシーバモジュールは、光ファイバーを介して受信した光信号を電気信号に変換するとともに、及び光ファイバーを介した送信のために電気信号を光信号に変換する。トランシーバモジュールのトランスミッタ部分では、レーザーのような光源が、電−光信号変換を実施する。トランシーバモジュールのレシーバ部分では、フォトダイオードのような光受信機が、光−電信号変換を実施する。トランシーバモジュールは一般に、レンズのような光学素子、並びに、ドライバ及びレシーバのような電気回路をさらに含む。トランシーバモジュールは、１以上のファイバーポートをさらに含み、そこに、光ファイバーケーブルが接続される。光源、光受信機、光学素子、及び電気回路は、モジュールハウジングの中に取り付けられる。１以上のファイバーポートは、モジュールハウジング上に配置される。
【０００３】
種々のトランシーバモジュール構成が知られている。トランシーバモジュール構成の一つのタイプは、ミッドプレーン・マウンティング構成と呼ばれるものである。ミッドプレーン・マウンティング構成のトランシーバモジュールは通常、概ね正方形の基部、及び低い高さを備えたモジュールハウジングを有する。モジュールハウジングの基部又は底部は、その下面に、ボール・グリッド・アレイ（ＢＧＡ）のような電気的接点のアレイを有する。ファイバーポートは、モジュールハウジングの上側部分又は最上部の上に配置される。トランシーバモジュールによっては、ファイバーポートは、光リボンケーブルフェルール又はコネクタに接続可能である場合がある。従って、光リボンケーブルコネクタは、複数の光ファイバーを含む光リボンケーブルの端部を終端し、保持する。光リボンケーブルコネクタは、ファイバーポートの対を成す領域に物理的に受け入れられるプラグ状の形を有することがある。光リボンケーブルコネクタが、トランシーバモジュール・ファイバーポートの中に受け入れられ、又は保持されるとき、光リボンケーブルコネクタの種々の光ポートは、トランシーバモジュール・ファイバーポートの対応する光ポートを有する光路に沿って整列される。従って、光リボンケーブルコネクタがトランシーバモジュール・ファイバーポートの中に受け入れられ、又は保持されるとき、光信号は、光リボンケーブルコネクタとトランシーバモジュール・ファイバーポートとの間において、それらの光路に沿って伝達されることができる。
【０００４】
光リボンケーブルコネクタは、光ファイバーの端部と、上述した光路との間において、光信号を方向転換、すなわち「ターン」する反射性表面を有することがある。そのようなコネクタは、反射形コネクタ、又は光ターンコネクタと呼ばれる場合がある。反射形コネクタとトランシーバモジュールとの間の光路は一般に、反射形コネクタにおいて保持されるファイバーの端部の光軸に対して垂直である。従って、ファイバーの端部から放射された光信号は、反射形コネクタの対応する光ポートを通して９０度の角度で反射され、トランシーバモジュール・ファイバーポートに入る。同様に、トランシーバモジュール・ファイバーポートから放射された光信号は、９０度の角度で反射され、反射形コネクタの対応する光ポートに入り、ファイバーの端部に入る。その内部を通して光信号が伝送される反射形コネクタの光ポートは、反射形コネクタの下側部分に配置される。一対のアライメントピンが一般に、反射形コネクタの下側部分から延びている。
【０００５】
反射形コネクタの上側部分の上にフィットするカバーを設けることが知られている。カバーの上側部分は、反射率を低下させることがある埃その他の異物による汚染から、反射性表面を保護する。カバーの下側部分は、ラッチ突起、又はラッチ耳部を含む。ラッチ耳部は、モジュールハウジング上の突起と係合するように構成された開口部を有する。カバー・コネクタ・アセンブリをモジュール上に降下させる際に、反射形コネクタのアライメントピンは、モジュールハウジングにおける対応するボアの中に受け入れられ、及び、カバーのラッチ耳部は、モジュールハウジング上の突起の上にパチンと（スナップ式に）取り付けられ、それによってカバーは、ひいては反射形コネクタは、トランシーバモジュール上の所定の位置に維持される。
【０００６】
上記のラッチ手順は簡単に見える場合があるが、モジュールのサイズが比較的小さく（例えば、一般に、モジュールハウジングの基部の各辺において２０ｍｍ程度）、従って、カバー・コネクタ・アセンブリのサイズが小さいことから、実際には、ユーザは、カバーをモジュールに対して整列させ、カバーを所定の位置にパチンと取り付けることが難しいことに気付く場合がある。アライメントピンは、それに従って小さく、表面に対して押し付けられれば、容易に損傷する。また、ラッチ耳部が、反射形コネクタの下側部分を超えて延びていることから、カバー・コネクタ・アセンブリは、比較的人目を引く形状を有する。
【発明の概要】
【課題を解決するための手段】
【０００７】
概要
本発明の種々の実施形態は、コネクタカバー、光トランシーバコネクタシステム、及び、コネクタカバーを使用して反射形コネクタを光トランシーバモジュールに接続する方法に関する。反射形コネクタは、その内部に、複数の光ファイバーの端部を保持するための複数のファイバーポートを有し、及び少なくとも１つの光反射器を備えた上側部分を有するタイプのものである。
【０００８】
本発明の種々の例示的実施形態の一態様において、コネクタカバーは、反射形コネクタの一部を受け入れるように構成された下側凹部を有する本体を含む。本体は、反射形コネクタが本体の下側凹部の中に受け入れられたときに光反射器を覆う上側ハウジング部をさらに有する。本体は、本体の前方端から延びる一対のアームをさらに有する。各アームは、アーム先端係合部を備えた先端部を有する。
【０００９】
本発明の種々の例示的実施形態の他の態様において、コネクタカバーを使用する方法は、反射形コネクタの前方端をコネクタカバーの本体の後方端の中に滑り込ませることを含む。コネクタカバーの本体は、反射形コネクタの前方端がコネクタカバーの本体の後方端の中に滑り込むときに、反射形コネクタの一部を受け入れるように構成された下側凹部を有する。コネクタカバーの本体は、反射形コネクタが本体の下側凹部の中に受け入れられたときに光反射器を覆う上側ハウジング部をさらに有する。一対のアームが、本体の前方端から延びている。各アームは、アーム先端係合部を備えた先端部を有する。
【００１０】
本発明の種々の例示的実施形態のさらに別の態様において、光トランシーバコネクタシステムは、コネクタカバー、及び光トランシーバモジュールを含む。コネクタカバーは、本体と、本体の前方端から延びる一対のアームとを含む。各アームは、アーム先端係合部を備えた先端部を有する。本体は、反射形コネクタの一部を受け入れるように構成された下側凹部を有する。本体は、反射形コネクタが本体の下側凹部の中に受け入れられたときに光反射器を覆う上側ハウジング部をさらに有する。光トランシーバモジュールは、アーム先端係合部と係合するように構成された一対のトランシーバモジュール・ハウジング係合部を含む。
【００１１】
他のシステム、方法、特徴、及び利点は、下記の図面及び詳細な説明を精査したときに、当業者には明らかであり、又は明らかとなるであろう。そのような他のシステム、方法、特徴、及び利点も、この説明に含められ、明細書の範囲内とされ、添付の特許請求の範囲により保護されることを意図している。
【００１２】
本発明は、下記の図面を参照することで、より良好に理解するとができる。図面上の種々の構成要素は、必ずしも縮尺どおりに描かれておらず、むしろ、本発明の原理を明確に示すことに力を注いでいる。
【図面の簡単な説明】
【００１３】
【図１】本発明の例示的実施形態による、反射形光コネクタに取り付けられたコネクタカバーを示す上面斜視図である。
【図２】図１のコネクタカバー及び反射形光コネクタを示す底面斜視図である。
【図３】図１〜図２のコネクタカバーの上面斜視図である。
【図４】図１〜図２のコネクタカバーの底面斜視図である。
【図５】図１〜図２のコネクタカバー及び反射形光コネクタを組み立てる方法を示す平面図である。
【図６】図１〜図２のコネクタカバー及び反射形光コネクタを組み立てる方法を示す斜視図である。
【図７】コネクタカバー・コネクタ・アセンブリを光トランシーバモジュールに接続する方法を示す斜視図である。
【図８】図７と類似した図であり、当該方法のさらに別のステップを示す図である。
【図９】図７〜図８と類似した図であり、当該方法のさらに別のステップを示す図である。
【図１０】図７〜図８と類似した図であり、当該方法のさらに別のステップを示す図である。
【発明を実施するための形態】
【００１４】
図１〜図２に示されているように、本発明の例示的又は例証的実施形態において、光ケーブルコネクタアセンブリ１０は、反射形光コネクタ１４に取り付けられたコネクタカバー１２を含む。光リボンケーブル１６は、反射形光コネクタ１４から後方に延びている。一対のアライメントピン１８（図２）が、反射形光コネクタ１４の下側部分又は底部から延びている。
【００１５】
図３〜図４に示されているように、コネクタカバー１２の本体は、上側ハウジング部２０によって部分的に規定され、及び、下側凹部２２によって部分的に規定される。一対のアーム２４が、コネクタカバー１２の本体の前方端から延びている。アーム２４の先端部は、それらの内側表面、すなわち、アーム２４の間の空間に面したアーム２４の面に、突起２６を有する。下側凹部２２は、一対のＬ字形側壁２８を有する。すなわち、各Ｌ字形側壁２８は、上側ハウジング部２０から下向きに延びている。一対のＬ字形側壁２８は、下側凹部２２の下部領域又は下側領域を規定している。Ｌ字形側壁２８における一対の斜面形突起３０（図４）は、反射形光コネクタ１４における対応する窪み３２（図２）と係合するように構成される。
【００１６】
図５を参照すると、反射形光コネクタ１４は、従来型のものであってもよい。適当な反射形光コネクタ１４の一例は、ノースカロライナ州ヒッコリーにあるＵＳコネック社（ＵＳ  Ｃｏｎｅｃ  Ｌｔｄ．）から入手可能なＰＲＩＺＭ（登録商標）ＬｉｇｈｔＴｕｒｎ（登録商標）コネクタである。図５に示されているように、反射形光コネクタ１４は、光リボンケーブル１６のファイバー端３４を保持する。ファイバー端３４は、反射性表面３６に対して光学的に整列され、反射性表面３６は一般に、全反射（ＴＩＲ）反射器を含む。ファイバー端３４のうちの１つの面（図示せず）から放射された光信号は、９０度の角度で反射され、光ポート領域３８（図２）を通って反射形光コネクタ１４から出る。同様に、光ポート領域３８を通って光コネクタ１４に入る光信号は、９０度の角度で反射され、ファイバー端３４のうちの１つの面に入る。
【００１７】
図５〜図６に示されているように、光ケーブルコネクタアセンブリ１０（図１〜図２）の組み立ては、反射形光コネクタ１４の前方端をコネクタカバー１２の開口した後方端の中に挿入することによってなされる。コネクタカバー１２の開口した後方端は、下側凹部２２、及びＬ字形側壁２８により規定される。反射形光コネクタ１４がコネクタカバー１２の開口した後方端の中に挿入される際、反射形光コネクタ１４は、下側凹部２２及びＬ字形側壁２８により部分的に画定されるキャビティの中に滑り込む。従って、下側凹部２２及びＬ字形側壁２８の種々の部分は、反射形光コネクタ１４を所定の位置に導くのに役立つ。斜面形突起３０（図４）は、窪み３２（図２）と係合し、光コネクタ１４とコネクタカバー１２とを一つに維持する。なお、このような形で反射形光コネクタ１４をコネクタカバー１２に組み付けた場合、コネクタカバー１２の上側ハウジング部２０は反射性表面３６を覆い、それによって、反射性表面３６を埃その他の異物による汚染から保護する。
【００１８】
図７〜図１０に示されているように、ユーザ（図示せず）は、光ケーブルコネクタアセンブリ１０をミッドプレーン搭載型光トランシーバモジュール４０に接続することができる。明確化のために、光トランシーバモジュール４０は、プリント回路基板の表面又は類似の平坦な表面上に取り付けられている。光トランシーバモジュール４０の底面にあるボール・グリッド・アレイ（ＢＧＡ）又は電気的接点の類似のアレイ（図示せず）は、プリント回路基板上の対応する電気的接触パッド（図示せず）に結合される。
【００１９】
光ケーブルコネクタアセンブリ１０を光トランシーバモジュール４０に接続するために、ユーザはまず、図８に示されているように、アーム２４をトランシーバモジュール・ハウジング４４の係合部４２と係合させる。アーム２４の先端部にある上記一対の凸部又は突起２６は、係合部４２上の対応する一対の穴又は窪み４６と係合する。アーム２４と係合部２４との間の係合は、スナップ式である。すなわち、アーム２４は、係合部４２の周りに配置されるときに外向きに僅かに屈曲し、又は撓み、その後、アーム２４が弛緩した状態に、すなわち屈曲していない状態に戻りながら、突起２６は、窪み４６の中にパチンと取り付けられる。例示的実施形態では、アーム２４の先端部における係合部が凸部又は突起であり、トランシーバモジュール・ハウジング４４における対応する係合部が窪み４６（図７）であるが、実施形態によっては（図示せず）、そのようなアームの先端部における係合部が窪みであり、そのようなトランシーバモジュール・ハウジングにおける対応する係合部が突起であってもよい。さらに別の実施形態は、コネクタカバーと光トランシーバモジュールとの間に、他のタイプのユーザ操作可能な旋回式係合部を含むことがある。
【００２０】
結果として得られるアーム２４とトランシーバモジュール・ハウジング４４との間の係合は、光ケーブルコネクタアセンブリ１０をトランシーバモジュール・ハウジング４４に対して旋回させることを可能にする手段を提供する。すなわち、アーム２４とトランシーバモジュール・ハウジング４４との間の係合は、旋回式係合であり、すなわち、旋回軸を規定する。図８に示される位置にある光ケーブルコネクタアセンブリ１０から開始して（この位置において、アーム２４は、トランシーバモジュール・ハウジング４４と係合している）、ユーザは次に、光ケーブルコネクタアセンブリ１０をトランシーバモジュール・ハウジング４４の上側部分に向けて下向きに旋回させることができる。光ケーブルコネクタアセンブリ１０が下向きに旋回されるに従って、アライメントピン１８（図２）は、対応する一対のボア４８（図７）に受け入れられる。光ケーブルコネクタアセンブリ１０は、光ケーブルコネクタアセンブリ１０の下側部分がトランシーバモジュール・ハウジング４４の上側部分に隣接する位置（図９）に達するまで、下向きに旋回される。なお、この位置において、反射形光コネクタ１４の光ポート領域３８（図２）は、光トランシーバモジュール４０の対応する光ポート領域５０（図７）を有する光路（図示せず）に沿って整列され、反射形光コネクタ１４と光トランシーバモジュール４０との間における光信号の伝送が可能となる。
【００２１】
光ケーブルコネクタアセンブリ１０を光トランシーバモジュール４０に接続する上記の２ステッププロセスにより、アーム２４をまず、トランシーバモジュール・ハウジング４４と係合し、旋回軸を形成し、次に、光ケーブルコネクタアセンブリ１０を所定の位置まで下向きに旋回させることが、有利である。アーム２４又は類似の構造は、ユーザが光ケーブルコネクタアセンブリ１０を導くのに役立つ場合がある。また、光ケーブルコネクタアセンブリ１０とトランシーバモジュール・ハウジング４４との間の最初のスナップ係合は、触覚によるフィードバックをユーザに提供することができる。それらのデバイスが小さいために（トランシーバモジュール・ハウジング４４は、その基部の各辺に沿って、例えば約２０ｍｍ程度のサイズを有することがある）、そのような最初の係合がなければ、ユーザは、光ケーブルコネクタアセンブリを光トランシーバモジュールに対して整列させることが難しい場合がある。アライメントピン１８は小さく、脆弱であるため、光ケーブルコネクタアセンブリ１０がトランシーバモジュール・ハウジング４４の上に降下されるときに、アライメントピン１８がボア４８と整列していないと、アライメントピン１８は容易に損傷することがある。例えば、ピン１８が、不注意によりボア４８のリムに対して押し付けられ、又は、ピン１８が、中心を向いた姿勢でボア４８に入る以外の視射角でボア４８に入った場合、ピン１８は、曲がることがある。上記のような形で光ケーブルコネクタアセンブリ１０を下向きに旋回させることにより、アライメントピン１８が中心を向いた姿勢でボア４８に入ることを確保することができる。
【００２２】
光ケーブルコネクタアセンブリ１０が、図９に示される位置まで旋回された後（この位置において、光ケーブルコネクタアセンブリ１０の下側部分は、トランシーバモジュール・ハウジング４４の上側部分に隣接する）、光トランシーバモジュール４０のヒンジ付きカバー５２を用いて、光ケーブルコネクタアセンブリ１０を所定の位置に固定することができる。より具体的には、ユーザは、図１０に示されるようにヒンジ付きカバー５２が光ケーブルコネクタアセンブリ１０のコネクタカバー１２と接触するまで、ヒンジ付きカバー５２を旋回させる。ヒンジ付きカバー５２の内側にある弾性圧力パッド５４は、光ケーブルコネクタアセンブリ１０をトランシーバモジュール・ハウジング４４の上側部分に対して所定の位置にしっかりと固定するバイアス力を、光ケーブルコネクタアセンブリ１０に提供する。ヒンジ付きカバー５２に設けられた一対の穴５６と、トランシーバモジュール・ハウジング４４上の対応する一対の窪み５８との間のスナップフィットにより、ヒンジ付きカバー５２は閉鎖位置に維持される。
【００２３】
なお、上で述べた形で光ケーブルコネクタアセンブリ１０が光トランシーバモジュール４０に接続された後、光ケーブルコネクタアセンブリ１０と光トランシーバモジュール４０との間で光信号を伝送することができる。すなわち、光トランシーバモジュール４０が取り付けられたプリント回路基板（図示せず）から光トランシーバモジュール４０が受信する電気信号は、光トランシーバモジュール４０において電光変換回路（例えば、レーザー又は類似の光源のアレイ）により光信号に変換され、その結果得られた光信号は、光トランシーバモジュール４０と反射形光コネクタ１４との間の光路（図示せず）の一部に沿って、光トランシーバモジュール４０から放射される。同様に、光トランシーバモジュール４０が当該光路のうちの他のものを介して反射形光コネクタ１４から受信する光信号は、光トランシーバモジュール４０において光電変換回路（例えば、フォトダイオード又は類似の光検出器のアレイ）により電気信号に変換され、その結果得られた電気信号は、プリント回路基板へ伝送される。
【００２４】
光ケーブルコネクタアセンブリ１０を光トランシーバモジュール４０から分離するためには、上記のプロセスを反転させることができる。あるいは、ピンセットに類似した手段（図示せず）であって、コネクタカバー１２上の一対のスロット６０（図９）と係合することが可能な、先端部にかぎを備えた手段を使用して、光ケーブルコネクタアセンブリ１０を光トランシーバモジュール４０から持ち上げてもよい。
【００２５】
本発明の１以上の例示的実施形態について上に記載した。しかしながら、本発明は、添付の特許請求の範囲により規定され、本発明が、記載した特定の実施形態に限定されることはないと理解すべきである。
【符号の説明】
【００２６】
１０  光ケーブルコネクタアセンブリ
１２  コネクタカバー
１４  反射形光コネクタ
１８  アライメントピン
２２  下側凹部
２４  アーム
２６  突起
２８  Ｌ字形側壁
３０  斜面形突起
３２  窪み
４６  穴又は窪み
４８  ボア
５２  ヒンジ付きカバー
６０  スロット
【図１】
0005905922.tif 000002
【図２】
0005905922.tif 000003
【図３】
0005905922.tif 000004
【図４】
0005905922.tif 000005
【図５】
0005905922.tif 000006
【図６】
0005905922.tif 000007
【図７】
0005905922.tif 000008
【図８】
0005905922.tif 000009
【図９】
0005905922.tif 000010
【図１０】
0005905922.tif 000011